(57)【要約】【課題】下階および上階への振動、衝撃の伝播を防止でき、かつ床下地材への荷重も低減できる防振・防音箱型建築構造を提供する。【解決手段】周壁１１と、周壁１１の下部に固定した床下地材１２と、天井１３とを備えた建築構造体１０を、周壁１１の上端に固着した緩衝体１４を介在させて、上方の構造躯体１に懸吊支持させている。【選択図】図１
2009197555.tif 000002
【特許請求の範囲】
【請求項１】
周壁と、該周壁の下部に固定した床下地材と、天井とを備えた建築構造体を、上記周壁の上端に固着した緩衝体を介在させて、上方の構造躯体に懸吊支持させたことを特徴とする防振・防音建築構造。
【請求項２】
請求項１において、
上記床下地材は、上記周壁で囲まれるように配設されており、
上記周壁は、下端部に凹溝が形成され、その凹溝が下方の構造躯体上に設けた凸条部に嵌合されて垂直保持されている、防振・防音建築構造。
【請求項３】
請求項１または２において、
上記周壁は、緩衝手段を介して、下方の構造躯体上に垂直保持されている防振・防音建築構造。
【発明の詳細な説明】
【技術分野】
【０００１】
本発明は、戸建住宅やアパート、マンションなどの集合住宅などの建築構造物に使用される防振・防音建築構造に関するものである。
【背景技術】
【０００２】
戸建住宅やマンションなどの複数階建ての建物において、居室内や廊下で、飛び跳ね、走行、歩行、物の落下などによっての床に衝撃が加わると、その振動や衝撃音は建物の構造躯体を通じて下方に伝わるため、直下階の住人が騒音の被害を受ける可能性がある。
【０００３】
従来では、このような床に発生する衝撃の下階への伝播を抑制するために、床下地材を、弾性材料を介在させた支持脚で支持させて、衝撃を緩和させるようにした建築構造が提案されている。たとえば特許文献１には、床基礎と床材、壁基礎と壁材、および天井基礎と天井材の各隙間に粘弾性材料の充填材を介装させた建物浮き構造が開示されている。
【０００４】
図５は、従来のこの種の床下地材の支持構造を示した概略縦断面図である。この構造では、床下地材１０３はゴムなどの弾性材料よりなる複数の支持脚１０６で支持されており、弾性材料が下階への振動や音を吸収して下階への振動や衝撃音の伝播を防止している。なお、図５のものでは、支持脚１０６は、床下地材１０３を構成する床下地板１０３ａの裏面に取り付けた根太１０３ｂを支持している。また、図５中、１０１は上方の構造躯体、１０２は下方の構造躯体、１０４は周壁、１０５ａは天井板、１０５ｂは天井板に取付固定される野縁、１０７は野縁１０５ｂと上方の構造躯体１０１を接続するアンカーボルトである。
【特許文献１】特許第３９８１５５２号公報
【発明の開示】
【発明が解決しようとする課題】
【０００５】
しかしながら、この種の防音床下地構造は、床下地板１０３ａの剛性を確保するために、床下地板１０３ａを多数の支持脚１０６で支持させたり、さらに床の壁を支持した箇所で、床下地板１０３ａの沈みを抑えるために下方に設ける支持脚として硬いゴムを使用したりすると、床下地材１０３ａは撓みなどなく形状は安定するが、防振、防音性能が著しく悪化するおそれがある。
【０００６】
本発明は、このような事情を考慮して提案されたもので、その目的は、下階および上階への振動、衝撃の伝播を防止でき、かつ床下地材への荷重も低減できる、構造の簡易な防振・防音箱型建築構造を提供することにある。
【課題を解決するための手段】
【０００７】
上記目的を達成するために、請求項１に記載の防振・防音建築構造は、周壁と、該周壁の下部に固定した床下地材と、天井とを備えた建築構造体を、周壁の上端に固着した緩衝体を介在させて、上方の構造躯体に懸吊支持させたことを特徴とする。
【０００８】
請求項２に記載の防振・防音建築構造では、床下地材が周壁で囲まれるように配設されており、周壁は下端部に凹溝が形成され、その凹溝が下方の構造躯体上に設けた凸条部に嵌合されて垂直保持されている。
【０００９】
請求項３に記載の防振・防音建築構造では、周壁は緩衝手段を介して、下方の構造躯体上に垂直保持されている。
【発明の効果】
【００１０】
請求項１に記載の防振・防音建築構造では、周壁と周壁に固定した床下地材と天井とを備えた建築構造体全体が、周壁の上端に固着した緩衝体を介して、上方の構造躯体に懸吊支持された構造となっているため、床下地材を下方の構造躯体とほとんど接触させることなく建築施工することができ、床に発生した振動は、床の下方には固体を通じて伝播されることはなく、下階で騒音が発生するおそれはほとんどない。また、緩衝体を介して懸吊される構造であるため、周壁に伝わる振動は緩衝体で吸収され、上階への振動の伝播も低減できる。さらに、床下地材が吊られる構造であるため、床下地材に対して周壁の荷重がかかることもない。
【００１１】
請求項２に記載の防振・防音建築構造では、周壁の下端部に設けた凹溝が下方の構造躯体上に形成された凸条部に嵌合されて、周壁が垂直保持される構造となっているため、大きな振動や地震などによる大きな揺れを受けても揺らぐことなく安定して保持される。
【００１２】
請求項３に記載の防振・防音建築構造では、周壁が緩衝手段を介して下方の構造躯体上に垂直保持される構造であるため、緩衝手段によって、周壁から下方の構造躯体へ伝わる振動を抑えることができ、大きな振動や、地震などによる大きな揺れを吸収することもできる。
【発明を実施するための最良の形態】
【００１３】
以下に、本発明の実施形態について、添付図面を参照しながら説明する。
【００１４】
図１は、本発明の実施形態に係る防振・防音建築構造を示した建築構造体の概略縦断面図である。図例ではマンションなどの複数階建ての上層階（第２階以上の階）の居室を示している。図２（ａ）は同建築構造体の概略平面図、（ｂ）は概略横断面図である。
【００１５】
この建築構造体１０は、居室空間を仕切る周壁１１と、床下地材１２と、天井１３とを含んで構成されている。
【００１６】
周壁１１は、鉄筋コンクリートなどで製され、上端には緩衝体１４としてスプリング１４が周設され、それらのスプリング１４の上端が、鉄筋コンクリートなどよりなる上方の構造躯体１に固定されている。周壁１１の上部では、天井１３を取り囲むように固定、保持しており、一方、下部では床下地材１２を取り囲むように固定、保持している。このように、建築構造体１０は、周壁１１の上端に固着したスプリング１４を介在させて、上方の構造躯体１に懸吊支持されている。また、周壁１１は、下端部１１ａが保持体(凸条部)１５(図３参照）を介して、鉄筋コンクリートなどよりなる下方の構造躯体２に連結されて、垂直保持されている。なお、周壁１１の下端部分Ｘの、下方の構造躯体２への設置構造については、図３において後述する。
【００１７】
スプリング１４は、上方の構造躯体１および周壁１１に対して、アンカーボルトなどで強固に固定される。図例のものは、周壁１１の上端に、５００ｍｍピッチでスプリング１４を配設している（図２（ａ）参照）。なお、スプリング１４の代わりに、ショックアブソーバーなどの緩衝体を使用してもよい。
【００１８】
天井１３は、木質板、石膏ボード、遮音シートなどを貼り合わせてなる天井板１３ａと、天井板１３ａの強度（剛性）を保持し、天井板１３ａの施工を容易にするために天井板１３ａの上面に取付固定される複数の野縁１３ｂとよりなる。
【００１９】
床下地材１２は、木質板、石膏ボード、遮音シートなどを貼り合わせてなる床下地板１２ａと、床下地板１２ａの強度（剛性）を保持し、床下地板１２ａの施工を容易にするために床下地板１２ａの下面に格子状に取付固定される複数の根太１２ｂとよりなる。
【００２０】
このような周壁１１、床下地材１２、天井１３などよりなる建築構造体１０は、周壁１１の上端に取り付けた複数のスプリング１４によって、上方の構造躯体１に吊り下げられる構造であるため、図１に示すように、床下地材１２は下方の構造躯体２と接触することがなく、床に発生した振動は、床の下方には固体を通じて伝播されることはほとんどなく、下階で騒音が発生するおそれはほとんどない。また、スプリング１４を介して懸吊される構造であるため、居室内から周壁１１に伝わり上方へ伝播される振動はスプリング１４で吸収され、上階への振動の伝播も低減できる。さらに、床下地材１２が吊り下げ状態で、かつ周壁１１で周縁を固定した構造であるため、床下地材１２に対して周壁１１の荷重がかかるおそれもない。
【００２１】
また、周壁１１を懸吊支持して垂直荷重を支える構造であるため、揺れが少なく安定した支持が実現でき、そのため、その建築構造体１０全体も安定的な懸吊支持が維持されるが、さらに、建築構造体１０の揺れを少なく安定性を高めるために、下方の構造躯体２にも連結保持された設置構造となっている。
【００２２】
図３は、周壁１１の下方の構造躯体２への設置構造を示すもので、図１のＸ部の概略拡大縦断面図である。
【００２３】
周壁１１は、下端部１１ａの下面に凹溝１１ｂが加工、形成され、この凹溝１１ｂが下方の構造躯体２の上に設けられた凸条部（保持体）１５に嵌合されて、垂直保持されており、これによって、大きな振動や地震などによる揺れを受けても、周壁１１を安定して垂直保持でき、建築構造体１０の揺れを防止することができる。
【００２４】
また、保持体１５は、下方の構造躯体２に強固に固着されており、ゴムなどの粘弾性体よりなる緩衝手段１７Ａで構成されて、周壁１１からの振動や音が下方に伝播されにくい構造とすることが望ましい。
【００２５】
図４は、周壁１１の下端部１１ａを保持する緩衝手段の他例を示す部分縦断面図である。
【００２６】
この緩衝手段１７Ｂは、周壁１１の下端部１１ａに固着された半球１８と、その半球１８に接触する曲面凹部１９ａを有し、下方の構造躯体２に固着された保持体１９とよりなり、これによって、周壁１１を垂直保持させるとともに、制震、免震の建築構造体設置構造を形成している。なお、この保持体１９も粘弾性体で構成されることが望ましい。
【００２７】
以上のような緩衝手段１７Ａ、１７Ｂを介して周壁１１が垂直保持される構造であるため、周壁１１から下方の構造躯体２へ伝わる振動や音を抑えることができる。なお、緩衝手段として、上記の他に、種々のバネや制震テープ、積層ゴムなどが使用できる。
【００２８】
以上に説明したように、本建築構造体１０は上方の構造躯体１より懸吊支持され、周壁１１の下端部１１ａで垂直保持される構造であるが、床下地材１２の強度を保持させるために、支持脚（不図示）を根太１２ｂと下方の構造躯体２との間に介設させて、床下地材１２を下方より支持するようにしてもよい。この支持脚にも弾性材を使用することが望ましい。
【００２９】
なお、建築構造体１０は懸吊支持されているため、このような支持脚も従来の防音構造の建築構造体のように多数設置する必要はなく、床の面積や床下地材１２の剛性に応じて適宜の数の支持脚を設ければよい。
【図面の簡単な説明】
【００３０】
【図１】本発明の実施形態に係る防振・防音建築構造を示した建築構造体の概略縦断面図である。
【図２】（ａ）は同建築構造体の概略平面図、（ｂ）は概略横断面図である。
【図３】図１のＸ部の概略拡大縦断面図である。
【図４】周壁の下端部を保持する緩衝手段の他例を示す縦断面図である。
【図５】従来の床下地材の支持構造を示した概略縦断面図である。
【符号の説明】
【００３１】
１０      建築構造体
１１      周壁
１１ａ      下端部
１１ｂ      凹溝
１２      床下地材
１２ａ      床下地板
１２ｂ      根太
１３      天井
１３ａ    天井板
１３ｂ      野縁
１４      緩衝体
１５      凸条部
１６      アンカーボルト
１７Ａ、１７Ｂ    緩衝手段
１      上方の構造躯体
２      下方の構造躯体
【図１】
2009197555.tif 000003
【図２】
2009197555.tif 000004
【図３】
2009197555.tif 000005
【図４】
2009197555.tif 000006
【図５】
2009197555.tif 000007